(57)【要約】【課題】アンテナ全体を大きくすることなく電波を十分に受信することができるアンテナ及び当該アンテナを内蔵した電子機器を提供する。【解決手段】棒状のコア１１０と、このコア１１０の長手方向の端部に有して電波を受信する膨出部１１０Ａと、コア１１０の長手方向の中央部１１０Ｂに巻回されたコイル１２０と、電波透過性の文字板５と、を備え、コア１１０は電波透過性の文字板５の下部に配置され、膨出部１１０Ａは電波を受信した際にコア１１０の長手方向の中央部１１０Ｂの軸線Ｘを挟んで文字板５に対向する対向面１１０Ｃ側での受信電波量が当該対向面１１０Ｃの反対面１１０Ｄ側に比べて多くなる形状を有する。【選択図】図３
2006333183.tif 000002
【特許請求の範囲】
【請求項１】
棒状のコアと、
このコアの長手方向の端部に有して電波を受信する膨出部と、
前記コアの長手方向の中央部に巻回されているコイルと、
電波透過性の装飾板と、を備え
前記コアは前記装飾板の下部に配置され、前記膨出部は電波を受信した際に前記コアの長手方向の中央部の軸線を挟んで前記装飾板に対向する対向面側での受信電波量が当該対向面の反対面側に比べて多くなる形状を有することを特徴とするアンテナ。
【請求項２】
前記膨出部は、前記コアの長手方向の端部から前記装飾板側へと向かう方向に屈曲していることを特徴とする請求項１に記載のアンテナ。
【請求項３】
前記膨出部は、前記装飾板に対向する対向面の面積が前記コアの長手方向の中央部の断面積よりも大きいことを特徴とする請求項１に記載のアンテナ。
【請求項４】
前記膨出部は、前記装飾板に対向する対向面側の電波受信面積が前記軸線を挟んで当該対向面の反対面側の電波受信面積より大きいことを特徴とする請求項１に記載のアンテナ。
【請求項５】
前記膨出部は、前記コアの長手方向の端部から前記装飾板側へと向かう方向に屈曲し、且つ、当該膨出部の直径は前記コアの長手方向の中央部に向かうにつれて徐々に小さくなり当該コアの長手方向の中央部においてほぼ一定となることを特徴とする請求項１に記載のアンテナ。
【請求項６】
棒状のコアと、
前記コアの長手方向の中央部に巻回されているコイルと、
電波透過性の装飾板と、を備え
前記コアは前記装飾板の下部に配置され、且つ、前記コアの長手方向の端部には、前記コアから外方に突出するように磁性シートが取付けられていることを特徴とするアンテナ。
【請求項７】
前記磁性シートは、アモルファス金属からなることを特徴とする請求項６に記載のアンテナ。
【請求項８】
前記コアは、バルク状のアモルファス金属からなることを特徴とする請求項１〜７の何れか一項に記載のアンテナ。
【請求項９】
上部に開口部を備えた電波非透過性のケースと、
このケースの前記開口部側に配置された電波透過性の装飾板と、
棒状のコア、このコアの長手方向の端部に有して電波を受信する膨出部、及び前記コアの長手方向の中央部に巻回されているコイルを有するアンテナと、を備え、
前記アンテナは、前記装飾板の下部に配置され、前記膨出部は電波を受信した際に前記アンテナの軸線を挟んで前記装飾板に対向する対向面側での受信電波量が当該対向面の反対面側に比べて多くなる形状を有することを特徴とする電子機器。
【請求項１０】
前記膨出部は、前記コアの長手方向の端部から前記装飾板側へと向かう方向に屈曲していることを特徴とする請求項９に記載の電子機器。
【請求項１１】
前記膨出部は、前記装飾板に対向する対向面の面積が前記コアの長手方向の中央部の断面積よりも大きいことを特徴とする請求項９に記載の電子機器。
【請求項１２】
前記膨出部は、前記装飾板に対向する対向面側の電波受信面積が前記軸線を挟んで当該対向面の反対面側の電波受信面積より大きいことを特徴とする請求項９に記載の電子機器。
【請求項１３】
前記膨出部は、前記コアの長手方向の端部から前記装飾板側へと向かう方向に屈曲し、且つ、前記膨出部の直径は前記コアの長手方向の中央部に向かうにつれて徐々に小さくなり当該コアの長手方向の中央部においてほぼ一定となることを特徴とする請求項９に記載の電子機器。
【請求項１４】
上部に開口部を備えた電波非透過性のケースと、
このケースの前記開口部側に配置された電波透過性の装飾板と、
棒状のコア、このコアの長手方向の中央部に巻回されるコイルを有するアンテナと、を備え、
前記アンテナは、前記装飾板の下部に配置され、且つ、前記コアの長手方向の端部には当該コアから外方に突出するように磁性シートが取付けられていることを特徴とする電子機器。
【請求項１５】
上部に開口部を備えた電波非透過性のケースと、
このケースの前記開口部側に配置された電波透過性の装飾板と、
棒状のコア、このコアの長手方向の端部に有して電波を受信する膨出部、前記コアの長手方向の中央部に巻回されているコイルを有するアンテナと、を備え、
前記アンテナは、前記装飾板の下部に配置され、当該装飾板の下面に形成された磁性体層と前記膨出部とは磁気的に結合されていることを特徴とする電子機器。
【請求項１６】
前記磁性体層は、
前記装飾板の下面に貼り付けられた磁性シートからなることを特徴とする請求項１５に記載の電子機器。
【請求項１７】
前記磁性シートは、アモルファス金属からなることを特徴とする請求項１４又は１６に記載の電子機器。
【請求項１８】
前記コアは、バルク状のアモルファス金属からなることを特徴とする請求項９〜１７の何れか一項に記載の電子機器。
【発明の詳細な説明】
【技術分野】
【０００１】
本発明は、電波を受信するアンテナ及び電子機器に関する。
【背景技術】
【０００２】
従来、腕時計等の携帯型の電子機器において、ケース、裏蓋、文字板に金属を使用しているものが知られている。しかし、アンテナを内蔵する電子機器において、ケース等に金属を使用すると、当該金属が電波を遮蔽するので、内蔵されたアンテナが電波を十分に受信することができなくなってしまう。
そこで、ケース、裏蓋に金属を使用するが、文字板には金属を使用しないようにして、内蔵されたアンテナが文字板から電波を受信できるようにしたものが知られている（例えば、特許文献１）。
【特許文献１】特開２００４−３４０７００号公報
【発明の開示】
【発明が解決しようとする課題】
【０００３】
しかしながら、特許文献１に記載のアンテナでは、アンテナの電波を受信可能な部分が限られるため、文字板側から電波を十分に受信することができなかった。
また、良好な受信感度を得るためにアンテナを大きくした場合、他の部品を配置する実装空間に制約が生じてしまい、装置の小型化が難しくなる。
【０００４】
本発明の課題は、アンテナ全体を大きくすることなく受信感度を向上させることができるアンテナ及び電子機器を提供することである。
【課題を解決するための手段】
【０００５】
上記課題を解決するため、請求項１に記載の発明は、棒状のコア（例えば、図３のコア１１０）と、このコアの長手方向の端部に有して電波を受信する膨出部（例えば、図３の膨出部１１０Ａ）と、前記コアの長手方向の中央部（例えば、図３の中央部１１０Ｂ）に巻回されているコイル（例えば、図３のコイル１２０）と、電波透過性の装飾板（例えば、図２の文字板５）と、を備え、前記コアは前記装飾板の下部に配置され、前記膨出部は電波を受信した際に前記コアの長手方向の中央部の軸線（例えば、図３の軸線Ｘ）を挟んで前記装飾板に対向する対向面（例えば、図３の対向面１１０Ｃ）側での受信電波量が当該対向面の反対面（例えば、図３の反対面１１０Ｄ）側に比べて多くなる形状を有することを特徴としている。
【０００６】
請求項２に記載の発明は、請求項１に記載のアンテナ（例えば、図３のアンテナ１００）において、前記膨出部は、前記コアの長手方向の端部から前記装飾板側へと向かう方向に屈曲していることを特徴としている。
【０００７】
請求項３に記載の発明は、請求項１に記載のアンテナにおいて、前記膨出部は、前記装飾板に対向する対向面の面積が前記コアの長手方向の中央部の断面積よりも大きいことを特徴としている。
【０００８】
請求項４に記載の発明は、請求項１に記載のアンテナにおいて、前記膨出部は、前記装飾板に対向する対向面側の電波受信面積が前記軸線を挟んで当該対向面の反対面側の電波受信面積より大きいことを特徴としている。
【０００９】
請求項５に記載の発明は、請求項１に記載のアンテナにおいて、前記膨出部は、前記コアの長手方向の端部から前記装飾板側へと向かう方向に屈曲し、且つ、当該膨出部の直径は前記コアの長手方向の中央部に向かうにつれて徐々に小さくなり当該コアの長手方向の中央部においてほぼ一定となることを特徴としている。
【００１０】
請求項６に記載の発明は、棒状のコア（例えば、図９のコア３１０）と、このコアの長手方向の中央部（例えば、図９の中央部３１０Ｂ）に巻回されているコイル（例えば、図９のコイル３２０）と、電波透過性の装飾板（例えば、図８の文字板５）と、を備え、前記コアは前記装飾板の下部に配置され、且つ、前記コアの長手方向の端部（例えば、図９の端部３１０Ａ）には、前記コアから外方に突出するように磁性シート（例えば、図９の磁性シート３１０Ｃ）が取り付けられていることを特徴としている。
【００１１】
請求項７に記載の発明は、請求項６に記載のアンテナにおいて、前記磁性シートは、アモルファス金属からなることを特徴としている。
【００１２】
請求項８に記載の発明は、請求項１〜７の何れか一項に記載のアンテナにおいて、前記コアは、バルク状のアモルファス金属からなることを特徴としている。
【００１３】
請求項９に記載の発明は、上部に開口部を備えた電波非透過性のケース（例えば、図１の時計ケース２）と、
このケースの前記開口部側に配置された電波透過性の装飾板（例えば、図２の文字板５）と、
棒状のコア（例えば、図３のコア１１０）、このコアの長手方向の端部に有して電波を受信する膨出部（例えば、図３の膨出部１１０Ａ）、及び前記コアの長手方向の中央部（例えば、図３の中央部１１０Ｂ）に巻回されているコイル（例えば、図３のコイル１２０）を有するアンテナ（例えば、図３のアンテナ１００）と、を備え、
前記アンテナは、前記装飾板の下部に配置され、前記膨出部は電波を受信した際に前記アンテナの軸線（例えば、図３の軸線Ｘ）を挟んで前記装飾板に対向する対向面（例えば、図３の対向面１１０Ｃ）側での受信電波量が当該対向面の反対面（例えば、図３の反対面１１０Ｄ）側に比べて多くなる形状を有することを特徴としている。
【００１４】
請求項１０に記載の発明は、請求項９に記載の電子機器（例えば、図１の腕時計１）において、前記膨出部は、前記コアの長手方向の端部から前記装飾板側へと向かう方向に屈曲していることを特徴としている。
【００１５】
請求項１１に記載の発明は、請求項９に記載の電子機器において、前記膨出部は、前記装飾板に対向する対向面の面積が前記コアの長手方向の中央部の断面積よりも大きいことを特徴としている。
【００１６】
請求項１２に記載の発明は、請求項９に記載の電子機器において、前記膨出部は、前記装飾板に対向する対向面側の電波受信面積が前記軸線を挟んで当該対向面の反対面側の電波受信面積より大きいことを特徴としている。
【００１７】
請求項１３に記載の発明は、請求項９に記載の電子機器において、前記膨出部は、前記コアの長手方向の端部から前記装飾板側へと向かう方向に屈曲し、且つ、当該膨出部の直径は前記コアの長手方向の中央部に向かうにつれて徐々に小さくなり当該コアの長手方向の中央部においてほぼ一定となることを特徴としている。
【００１８】
請求項１４に記載の発明は、上部に開口部を備えた電波非透過性のケース（例えば、図７の時計ケース２）と、
このケースの前記開口部側に配置された電波透過性の装飾板（例えば、図８の文字板５）と、
棒状のコア（例えば、図９のコア３１０）、このコアの長手方向の中央部（例えば、図９の中央部３１０Ｂ）に巻回されているコイル（例えば、図９のコイル３２０）を有するアンテナ（例えば、図９のアンテナ３００）と、を備え、
前記アンテナは、前記装飾板の下部に配置され、且つ、前記コアの長手方向の端部（例えば、図９の端部３１０Ａ）には前記コアから外方に突出するように磁性シート（例えば、図９の磁性シート３１０Ｃ）が取り付けられていることを特徴としている。
【００１９】
請求項１５に記載の発明は、上部に開口部を備えた電波非透過性のケース（例えば、図１０の時計ケース２）と、
このケースの前記開口部側に配置された電波透過性の装飾板（例えば、図１１の文字板５）と、
棒状のコア（例えば、図１２のコア４１０）、このコアの長手方向の端部に有して電波を受信する膨出部（例えば、図１２の膨出部４１０Ａ）、前記コアの長手方向の中央部（例えば、図１２の中央部４１０Ｂ）に巻回されたコイル（例えば、図１２のコイル４２０）を有するアンテナ（例えば、図１２のアンテナ４００）と、を備え、
前記アンテナは、前記装飾板の下部に配置され、当該装飾板の下面に形成された磁性体層（例えば、図１２の磁性シート５ｃ）と前記膨出部とは磁気的に結合されていることを特徴としている。
【００２０】
請求項１６に記載の発明は、請求項１５に記載の電子機器において、前記磁性体層は、前記装飾板の下面に貼り付けられた磁性シートからなることを特徴としている。
【００２１】
請求項１７に記載の発明は、請求項１４又は１６に記載の電子機器において、前記磁性シートは、アモルファス金属からなることを特徴としている。
【００２２】
請求項１８に記載の発明は、請求項９〜１７の何れか一項に記載の電子機器において、前記コアは、バルク状のアモルファス金属からなることを特徴としている。
【発明の効果】
【００２３】
請求項１記載の発明によれば、コアは装飾板の下部に配置され、膨出部は電波を受信した際にコアの長手方向の中央部の軸線を挟んで装飾板に対向する対向面側での受信電波量が当該対向面の反対面側に比べて多くなる形状を有するので、装飾板側から電波を十分に受信することができることとなり、アンテナ全体を大きくすることなく従来のアンテナよりも受信感度を向上させることができる。
【００２４】
請求項２記載の発明によれば、膨出部は、コアの長手方向の端部から装飾板側へと向かう方向に屈曲しているので、装飾板側からの電波をさらに受信しやすくなり、アンテナ全体を大きくすることなく従来のアンテナよりも受信感度を向上させることができる。
【００２５】
請求項３に記載の発明によれば、膨出部は、装飾板に対向する対向面の面積がコアの長手方向の中央部の断面積よりも大きいので、膨出部における対向面からより多くの電波を受信することができることとなり、アンテナの受信感度をより向上させることができる。
【００２６】
請求項４記載の発明によれば、膨出部は、装飾板に対向する対向面側の電波受信面積が軸線を挟んで当該対向面の反対面側の電波受信面積より大きいので、電波を受信した際に、膨出部における対向面側からより多くの電波を受信できることとなる。よって、装飾板側から電波を十分に受信することができ、アンテナ全体を大きくすることなく従来のアンテナよりも受信感度を向上させることができる。
【００２７】
請求項５記載の発明によれば、膨出部は、コアの長手方向の端部から装飾板側へと向かう方向に屈曲し、且つ、当該膨出部の直径はコアの長手方向の中央部に向かうにつれて徐々に小さくなり当該コアの長手方向の中央部においてほぼ一定となっているので、膨出部において中央部の軸線を挟んで装飾板に対向する対向面側のほうが当該対向面の反対面側より電波受信量が多くなる。よって、装飾板側から電波を十分に受信することができ、アンテナ全体を大きくすることなく従来のアンテナよりも受信感度を向上させることができる。
【００２８】
請求項６に記載の発明によれば、コアの長手方向の端部に取り付けられた磁性シートの平面を電波の受信面とすることができるので、立体的な空間をあまり必要とせずにより広い受信面積を確保できることとなり、アンテナの受信感度を向上させることができる。
【００２９】
請求項７に記載の発明によれば、アモルファス金属は、強度が高いので、破れたりせずに磁性シートを薄くできる。
【００３０】
請求項８に記載の発明によれば、コアは、アモルファス金属をバルク状に成形することにより製造されるので、従来のアモルファス金属の薄膜を複数枚積層して形成されるコアに比べて、コアの形状を自由な形状に加工しやすくなることとなって、より容易に目的に合った形状のアンテナを製造することができる。また、従来のアモルファス金属のコアのように、薄膜を積層させることがないので、加工工程を減らすことができる。
また、バルク状に成形されたアモルファス金属からなるコアは、透磁率が極めて高いので、アンテナの受信感度を極めて良くすることができる。また、アモルファス金属は、強度が高いので、コアを極めて細く成形することができ、コイルの巻数を増やすことができるので、アンテナの受信感度を向上させることができる。また、アモルファス金属は、さびにくく、温度安定性も良いので、アンテナの寿命をより長期化することができる。
【００３１】
請求項９に記載の発明によれば、アンテナは、装飾板の下部に配置され、膨出部は電波を受信した際にアンテナの軸線を挟んで装飾板に対向する対向面側での受信電波量が当該対向面の反対面側に比べて多くなる形状を有するので、装飾板側から電波を十分に受信することができ、アンテナ全体を大きくすることなく従来よりも内蔵されたアンテナの受信感度が向上した電子機器を提供することができる。
【００３２】
請求項１０記載の発明によれば、膨出部は、コアの長手方向の端部から装飾板側へと向かう方向に屈曲しているので、装飾板側からの電波をさらに受信しやすくなり、アンテナ全体を大きくすることなく従来よりも内蔵されたアンテナの受信感度が向上した電子機器を提供することができる。
【００３３】
請求項１１に記載の発明によれば、膨出部は、装飾板に対向する対向面の面積がコアの長手方向の中央部の断面積よりも大きいので、より多くの電波を受信することができることとなり、内蔵されたアンテナの受信感度がより向上した電子機器を提供することができる。
【００３４】
請求項１２に記載の発明によれば、膨出部は、装飾板に対向する対向面側の電波受信面積が軸線を挟んで当該対向面の反対面側の電波受信面積より大きいので、電波を受信した際に、膨出部における対向面側からより多くの電波を受信できることとなる。よって、装飾板側から電波を十分に受信することができ、アンテナ全体を大きくすることなく従来のアンテナよりも受信感度を向上した電子機器を提供することができる。
【００３５】
請求項１３に記載の発明によれば、膨出部は、コアの長手方向の端部から装飾板側へと向かう方向に屈曲し、且つ、当該膨出部の直径はコアの長手方向の中央部に向かうにつれて徐々に小さくなり当該コアの長手方向の中央部においてほぼ一定となっているので、膨出部において中央部の軸線を挟んで装飾板に対向する対向面側のほうが当該対向面の反対面側より電波受信量が多くなる。よって、装飾板側から電波を十分に受信することができ、アンテナ全体を大きくすることなく従来のアンテナよりも受信感度を向上した電子機器を提供することができる。
【００３６】
請求項１４に記載の発明によれば、コアの長手方向の端部に取り付けられた磁性シートの平面を電波の受信面とすることができるので、立体的な空間をあまり必要とせずにより広い受信面積を確保できる。よって、アンテナの受信感度を向上させることができ、電波を感度良く受信できる電子機器を提供することができる。
【００３７】
請求項１５に記載の発明によれば、装飾板の下面に形成された磁性体層の平面を電波受信面として、当該磁性体層から電波を受信することができる。従って、装飾板側からの電波を効率良く受信することができる。
また、アンテナは、広い面積を有する磁性体層の面によって電波を受信することができるので、より多くの電波を受信することができることとなり、アンテナの受信感度を向上することができ、電波を感度良く受信できる電子機器を提供することができる。
【００３８】
請求項１６に記載の発明によれば、装飾板の下面に貼り付けられた磁性シートを電波受信面として、当該磁性シートの面から電波を受信することができる。従って、装飾板側からの電波を効率良く受信することができる。
また、アンテナは、広い面積を有する磁性シートの面によって電波を受信することができるので、より多くの電波を受信することができることとなり、アンテナの受信感度を向上することができ、電波を感度良く受信できる電子機器を提供することができる。
【００３９】
請求項１７に記載の発明によれば、アモルファス金属は、強度が高いので、破れたりせずに磁性シートを薄くできる。
【００４０】
請求項１８に記載の発明によれば、コアは、アモルファス金属をバルク状に成形することにより製造されるので、従来のアモルファス金属の薄膜を複数枚積層して形成されるコアに比べて、コアの形状を自由な形状に加工しやすくなることとなって、より容易に目的に合った形状のアンテナを製造することができる。また、従来のアモルファス金属のコアのように、薄膜を積層させることがないので、加工工程を減らすことができる。
また、バルク状に成形されたアモルファス金属からなるコアは、透磁率が極めて高いので、アンテナの受信感度を極めて良くすることができる。また、アモルファス金属は、強度が高いので、コアを極めて細く成形することができ、コイルの巻数を増やすことができるので、アンテナの受信感度を向上させることができる。また、アモルファス金属は、さびにくく、温度安定性も良いので、アンテナの寿命をより長期化することができる。
【発明を実施するための最良の形態】
【００４１】
以下、図を参照して本発明を実施するための最良の形態を詳細に説明する。
【００４２】
（実施形態１）
図１は、本発明の実施形態１に係るアンテナ１００を内蔵した腕時計１の平面図であり、図２は、図１のＩＩ−ＩＩ矢視断面図である。
図１、２に示すように、電子機器としての腕時計１は、時計計時部４を内部に収納するケースとしての時計ケース２を備え、時計ケース２には、これをユーザの手首に装着するためのバンド部材８が取り付けられている。
【００４３】
時計ケース２は、例えば、円筒形状をなし、上部及び下部に各々開口部を有する。時計ケース２の上部中央には、上部の開口部を塞ぐように時計ガラス２ａがパッキン２ｂを介して嵌められ、この時計ガラス２ａの下部には、装飾板としての文字板５が時計ガラス２ａの上部側から視認可能に設けられている。時計ケース２の周囲には、腕時計１の各種機能の実行を指示するためのスイッチ３が設けられている。また、時計ケース２の上部外周にはベゼル２ｆが設けられ、時計ケース２の底面には、裏蓋２ｃが防水リング２ｄを介して取り付けられている。
時計ケース２及び裏蓋２ｃは、例えば、金属等の電波非透過性の材料により成形されている。
装飾板としての文字板５は、例えば、樹脂などの電波透過性の材料より成形されている。
ここで装飾板とは、腕時計１の文字板５に限定するものではなく、例えば、電子機器などの表示部に配置されて視覚を通して装飾効果を有するものを言う。
【００４４】
時計計時部４は、上部ハウジング部４ａや下部ハウジング部４ｂ、時針や秒針等の指針７ｂを文字板５上で運針させるアナログ指針機構７、標準電波を受信するアンテナ１００、アナログ指針機構７やアンテナ１００を接続してこれらを制御する回路基板６を備えている。また、下部ハウジング部４ｂ、上部ハウジング部４ａ、文字板５は、それぞれの周縁部が時計ケース２の内側周面に設けられている中枠２ｇに取り付けられた構造となっている。
【００４５】
下部ハウジング部４ｂは、裏蓋２ｃの上部に設けられた緩衝部材２ｅの上部に支持され、下部ハウジング部４ｂと上部ハウジング部４ａとの間には回路基板６が配置されている。また、上部ハウジング部４ａの上面に文字板５が配置され、この文字板５の上面周縁部には、枠状部材５ｂが、時計ガラス２ａの下面周縁部に当接した状態で配置されている。
【００４６】
アナログ指針機構７は、文字板５に形成された軸孔５ａからその上方に延びる指針軸７ａと、指針軸７ａに取り付けられた時針、分針等の指針７ｂとを有し、指針７ｂを文字板５の上方で運針させる。アナログ指針機構７を動作させるための電池（図示省略）は、例えば下部ハウジング部４ｂに組み込まれている。
【００４７】
アンテナ１００は、上部ハウジング部４ａに支持されて、装飾板としての文字板５の下部と下部ハウジング部４ｂの上部との間に配置される。そして、文字板５とアンテナ１００のコア１１０（後述）の長手方向の中央部１１０Ｂ（後述）の軸線Ｘとが平行で、且つ、コア１１０の長手方向の端部に一体成形された膨出部１１０Ａの対向面１１０Ｃ（後述）が文字板５に対向するように配置されている。
【００４８】
図３は、実施形態１に係るアンテナ１００を説明する図である。
図３に示すように、アンテナ１００は、磁性体のコア１１０と、コア１１０に巻回されたコイル１２０等を備えて構成される。
【００４９】
コア１１０は、アモルファス金属を材料としてバルク状に成形されている。ここで、バルク状とは、鋳型、金型を使用して作る固体の形状をいう。即ち、コア１１０は、アモルファス金属を材料として単体で構成されている。バルク状のアモルファス金属は、具体的には、例えば、Ｆｅ系合金、Ｐｄ系合金、Ｚｒ系合金、Ｎｉ系合金等であり、Ｆｅ系合金には、Ｆｅ−Ｍ−Ｂ（Ｍ＝Ｃｒ，Ｗ，Ｔａ，Ｎｂ，Ｈｆ，Ｚｒ）系合金、Ｆｅ−Ｃｏ−ＲＥ−Ｂ（ＲＥ＝Ｎｂ，Ｓｍ，Ｔｂ，Ｄｙ）系合金等がある。そして、より具体的には、アモルファス金属は、Ｐｄ４０Ｃｕ３０Ｎｉ１０Ｐ２０やＦｅ８１Ｂ１３Ｓｉ１４Ｃ２等の組成からなる。そして、溶解した上記合金は、例えば、鋳造によってバルク状に加工される際に、内部組織がアモルファス化されるようになっている。より具体的には、コア１１０は、例えば、アモルファス金属となる上記合金を溶解し、結晶化開始温度以下で、２００Ｍｐａ以上の圧力をかけた状態で焼結することにより製造される。
【００５０】
コア１１０は、長尺な棒状体であり、当該コア１１０の長手方向の両端部に一体成形された膨出部１１０Ａは、裏蓋２ｃから文字板５側へと向かう方向に屈曲している。また、膨出部１１０Ａは、当該膨出部１１０Ａとコア１１０の長手方向の端部とが一体成形される側に対して反対側の対向面１１０Ｃ、即ち文字板５に対向する対向面１１０Ｃが円形となっている。そして、コア１１０の長手方向の端部に有する膨出部１１０Ａの直径は、コア１１０の長手方向の中央部１１０Ｂに向かうに連れて徐々に小さくなり、コア１１０の長手方向の中央部１１０Ｂにおいて、ほぼ一定となっている。従って、膨出部１１０Ａが有する対向面１１０Ｃの面積は、コア１１０の長手方向の中央部１１０Ｂの断面積よりも大きくなっている。また、コア１１０の長手方向の中央部１１０Ｂの軸線Ｘを挟んで、コア１１０の文字板５に対向する対向面１１０Ｃ側におけるコア１１０の長手方向の長さＬ１よりも対向面１１０Ｃの反対面１１０Ｄ側におけるコア１１０の長手方向の長さＬ２の方が短くなっている。
ここで、コア１１０は、アモルファス金属によりなるので、例えば、フェライトで形成されたコアよりも長手方向の中央部１１０Ｂを細くしても、同等以上の強度を得ることができる。具体的には、例えば、フェライトで形成されたコアの長手方向の中央部１１０Ｂの直径が１．５ｍｍとした場合に、アモルファス金属を用いたコア１１０の長手方向の中央部１１０Ｂの直径は、例えば、０．５〜１．０ｍｍとすることができる。
また、コア１１０の長手方向の中央部１１０Ｂには、コイル１２０が層状に巻回されている。
【００５１】
そして、このアンテナ１００を標準電波による磁界（以下、「信号磁界」と称する。）中に置くと、当該磁界は、アンテナ１００に対して次のように作用する。なお、標準電波は波長が数Ｋｍに及ぶ長波を使用しているため、その磁界成分の大きさはアンテナサイズの範囲において、位置によって変わらない平行磁界とみなして良い。従って、説明の簡明のため、信号磁界を平行磁界であるとして、以下、説明する。
【００５２】
信号磁界中に、コイル１２０の軸線が磁界方向と平行となるようにコア１１０を置くと、図３に示すように、信号磁界による磁束（以下、「信号磁束」と称する。）Ｍ１は、周囲空間よりも比透磁率が高いコア１１０に集中する。その結果、信号磁束Ｍ１とコイル１２０が鎖交し、コイル１２０には、レンツの法則に従い、コイル１２０の内部での信号磁束Ｍ１の変化を妨げる向きに磁束（以下、「発生磁束」と称する。）Ｍ２を発生させるような誘導起電力Ｖが生じる。
なお、信号磁界は交流磁界であり、信号磁束Ｍ１の大きさや向きは周期的に変化するので、誘導起電力Ｖは交流電力となり、発生磁束Ｍ２は、信号磁束Ｍ１の時間的な変化に追従してその大きさや向きが周期的に変化する交流磁界となる。
【００５３】
そして、コイル１２０に生じた誘導起電力Ｖは、コイル１２０に接続された受信回路（図示省略）によって検出される。受信回路には、受信したい標準電波の周波数（例えば、４０ｋＨｚ又は、６０ｋＨｚ）に同調させるための同調コンデンサや損失抵抗が含まれている。また、受信回路は、例えば、図２に示す、回路基板６上に実装されている。
【００５４】
ここで、コア１１０の長手方向の端部に有する膨出部１１０Ａは、裏蓋２ｃから文字板５側へと向かう方向に屈曲し、コア１１０の長手方向の端部に有する膨出部１１０Ａの直径がコア１１０の長手方向の中央部１１０Ｂに向かうに連れて徐々に小さくなり、コア１１０の長手方向の中央部１１０Ｂにおいてほぼ一定となる。
また、膨出部１１０Ａは、当該膨出部１１０Ａとコア１１０の長手方向の端部とが一体成形される側に対して反対側の対向面１１０Ｃが文字板５に対向する。これにより、コア１１０の長手方向の中央部１１０Ｂの軸線Ｘを挟んで、コア１１０の長手方向の両端部が有する膨出部１１０Ａ，１１０Ａにおける文字板５に対向する対向面１１０Ｃ側の電波受信面積が、当該対向面１１０Ｃの反対面１１０Ｄ側の電波受信面積より広く（大きく）なっている。
したがって、アンテナ１００は、電波を受信した際に、当該アンテナ１００の軸線Ｘを挟んで、文字板５に対向するコア１１０の対向面１１０Ｃ側の方が、当該対向面１１０Ｃの反対面１１０Ｄ側に比べて受信電波量が多くなる形状となっている。
【００５５】
また、コア１１０の長手方向の中央部１１０Ｂの軸線Ｘを挟んで、コア１１０の文字板５に対向する対向面１１０Ｃ側における長手方向の長さＬ１のほうが、当該対向面１１０Ｃの反対面１１０Ｄ側における長手方向の長さＬ２よりも長い。これにより、コア１１０の長手方向における対向面１１０Ｃ側の受信感度は、アンテナ１００の軸線Ｘを挟んで、対向面１１０Ｃ側における長さＬ１と当該対向面１１０Ｃの反対面１１０Ｄ側における長さＬ２とが等しい場合に比べて高くなっている。
【００５６】
また、アンテナ１００は、当該アンテナ１００の軸線Ｘを挟んで、文字板５に向かう方向に屈曲した膨出部１１０Ａの文字板５に対向する対向面１１０Ｃ側のほうが、当該対向面１１０Ｃの反対面１１０Ｄ側に比べて受信電波量が多くなる形状となっている。
また、コア１１０の長手方向の中央部１１０Ｂの軸線Ｘを挟んで、コア１１０の文字板５に対向する対向面１１０Ｃ側における長手方向の長さＬ１よりも、対向面１１０Ｃの反対面１１０Ｄ側における長手方向の長さＬ２の方が短いので、コア１１０の対向面１１０Ｃは、当該対向面１１０Ｃの反対面１１０Ｄ側に比べて発生磁束Ｍ２が多くなっている。
更に、コア１１０の長手方向の中央部１１０Ｂの軸線Ｘを挟んで、コア１１０の対向面１１０Ｃの反対面１１０Ｄ側に発生した発生磁束Ｍ２は、裏蓋２ｃを通り、当該裏蓋２ｃに渦電流を発生させ、信号磁束Ｍ１の渦電流損失を生じさせるが、コア１１０の対向面１１０Ｃの反対面１１０Ｄ側の発生磁束Ｍ２は当該対向面１１０Ｃ側より少なく抑えられているので、裏蓋２ｃで発生する渦電流が抑えられており、信号磁束Ｍ１の渦電流損失が抑えられるようになっている。
【００５７】
図４は、腕時計１の内部構成を示すブロック図である。同図によれば、腕時計１は、ＣＰＵ（Central  Processing  Unit）１０と、入力部２０と、表示部３０と、ＲＯＭ（Read  Only  Memory）４０と、ＲＡＭ（Random  Access  Memory）５０と、受信制御部６０と、タイムコード変換部７０と、計時回路部８０と、発振回路部８２と、を備えて構成される。また、発振回路部８２を除く各部はバスＢによって接続され、発振回路部８２は計時回路部８０に接続されている。
【００５８】
ＣＰＵ１０は、所定のタイミング或いは入力部２０から入力された操作信号に応じてＲＯＭ４０に格納されたプログラムを読み出してＲＡＭ５０に展開し、当該プログラムに基づいて腕時計１を構成する各部への指示やデータの転送等を行う。具体的には、例えば所定時間毎に受信制御部６０を制御して標準電波の受信処理を実行し、タイムコード変換部７０から入力された標準タイムコード（図示省略）に基づいて計時回路部８０で計数される現在時刻データを修正する。
【００５９】
入力部２０は、腕時計１の各種機能の実行を指示するためのスイッチ３等であり、これらのスイッチ３が操作されると、対応する操作信号をＣＰＵ１０に出力する。
表示部３０は、文字板５やＣＰＵ１０によって制御されるアナログ指針機構７を含み、計時回路部８０によって計時された現在時刻を表示する。
【００６０】
ＲＯＭ４０は、腕時計１にかかるシステムプログラムやアプリケーションプログラム、本実施の形態を実現するためのプログラムやデータ等を記憶する。
ＲＡＭ５０は、ＣＰＵ１０の作業領域として用いられ、ＲＯＭ４０から読み出されたプログラムやＣＰＵ１０で処理されたデータ等を一時的に記憶する。
【００６１】
受信制御部６０は、電波受信装置６２を備える。電波受信装置６２はアンテナ１００、受信回路（図示省略）を有しており、アンテナ１００で受信した標準電波の不要な周波数成分をカットして該当する周波数信号を取り出し、この周波数信号を対応した電気信号に変換した信号をタイムコード変換部７０へ出力する。
【００６２】
タイムコード変換部７０は、電波受信装置６２から入力された電気信号をデジタル信号に変換し、標準時刻コードや積算コード、曜日コード等の時計機能に必要なデータを含む標準タイムコードを生成してＣＰＵ１０に出力する。
【００６３】
計時回路部８０は、発振回路部８２から入力される信号を計数して現在時刻を計時し、計時した現在時刻データをＣＰＵ１０に出力する。発振回路部８２は、常時一定周波数のクロック信号を出力する回路である。
【００６４】
以上説明したように、実施形態１に係るアンテナ１００及びこのアンテナ１００を組み込んだ腕時計１によれば、コア１１０は文字板５の下部に配置され、膨出部１１０Ａは電波を受信した際にコア１１０の長手方向の中央部１１０Ｂの軸線Ｘを挟んで文字板５に対向する対向面１１０Ｃ側のほうが、当該対向面１１０Ｃの反対面１１０Ｄ側に比べて受信電波量が多くなる形状とされているので、文字板５側から電波を十分に受信することができることとなり、アンテナ１００全体を大きくすることなく従来のアンテナよりも受信感度を向上させることができる。
【００６５】
より具体的には、コア１１０の長手方向の中央部１１０Ｂの軸線Ｘを挟んで、コア１１０の長手方向の両端部に有する膨出部１１０Ａ，１１０Ａにおける文字板５に対向する対向面１１０Ｃ側の電波受信面積が当該対向面１１０Ｃの反対面１１０Ｄ側の電波受信面積より広い（大きい）ので、電波を受信した際に、コア１１０の長手方向の両端部に有する膨出部１１０Ａ，１１０Ａにおける対向面１１０Ｃ側からより多くの電波を受信できることとなる。よって、文字板５側から電波を十分に受信することができ、アンテナ１００全体を大きくすることなく従来のアンテナよりも受信感度を向上させることができる。
【００６６】
また、コア１１０の長手方向の中央部１１０Ｂの軸線Ｘを挟んで、コア１１０の対向面１１０Ｃ側における長手方向の長さＬ１よりもコア１１０の対向面１１０Ｃの反対面１１０Ｄ側における長手方向の長さＬ２が短いので、コア１１０の長手方向における対向面１１０Ｃ側の受信感度が高まることとなり、アンテナ１００の受信感度をより高めることができる。
【００６７】
また、膨出部１１０Ａは、コア１１０の長手方向の端部から文字板５へと向かう方向に屈曲しているので、文字板５側からの電波をさらに受信しやすくなり、アンテナ全体を大きくすることなく従来のアンテナよりも受信感度を向上させることができる。
【００６８】
また、膨出部１１０Ａは、文字板５に対向する対向面１１０Ｃの面積が当該コア１１０の長手方向の中央部１１０Ｂの断面積よりも大きい。これにより、膨出部１１０Ａにおける対向面１１０Ｃからより多くの電波を受信することができることとなり、アンテナ１００の受信感度をより向上させることができる。
【００６９】
また、膨出部１１０Ａは、コア１１０の長手方向の端部から文字板５側へと向かう方向に屈曲し、且つ、当該膨出部１１０Ａの直径はコア１１０の長手方向の中央部１１０Ｂに向かうにつれて徐々に小さくなり当該コア１１０の長手方向の中央部１１０Ｂにおいてほぼ一定となっているので、膨出部１１０Ａにおいて中央部１１０Ｂの軸線Ｘを挟んで文字板５に対向する対向面１１０Ｃ側のほうが当該対向面１１０Ｃの反対面１１０Ｄ側より電波受信量が多くなる。よって、文字板５側から電波を十分に受信することができ、アンテナ１００全体を大きくすることなく従来のアンテナよりも受信感度を向上させることができる。
【００７０】
また、コア１１０は、アモルファス金属をバルク状に成形することにより製造されるので、従来のアモルファス金属の薄膜を複数枚積層して形成されるコアに比べて、コア１１０の形状を自由な形状に加工しやすくなることとなって、より容易に目的に合った形状のアンテナ１００を製造することができる。また、従来のアモルファス金属のコアのように、薄膜を積層させることがないので、加工工程を減らすことができる。
また、バルク状に成形されたアモルファス金属からなるコア１１０は、透磁率が極めて高いので、アンテナ１００の受信感度を極めて良くすることができる。また、アモルファス金属は、強度が高いので、コア１１０を極めて細く成形することができ、コイル１２０の巻数を増やすことができるので、アンテナ１００の受信感度を向上させることができる。また、アモルファス金属は、さびにくく、温度安定性も良いので、アンテナ１００の寿命をより長期化することができる。
【００７１】
また、腕時計１は、従来よりも、受信感度が向上したアンテナ１００を内蔵するので、電波を感度良く受信できる腕時計１を提供することができる。
【００７２】
本発明の実施形態１に係るアンテナ１００は、必要に応じて次のように変形してもよい。
【００７３】
（変形例１）
図５は、実施形態１の変形例１に係るアンテナ２００を説明するための図である。また、図６は、実施形態１の変形例１に係るアンテナ２００の構成を説明するための図である。
実施形態１のアンテナ１００を変形したアンテナ２００は、図５に示すように、磁性体のコア２１０とコア２１０に巻回されたコイル２２０等を備えて構成されている。
また、実施形態１のアンテナ１００と同様にアンテナ２００は、文字板５とアンテナ２００のコア２１０（後述）の長手方向の中央部２１０Ｂの軸線Ｘとが平行となるように当該文字板５の下部に配置されている。
【００７４】
コア２１０は、実施形態１のアンテナ１００と同様に、アモルファス金属を材料としてバルク状に成形されており、図５に示すように、文字板５に略平行な２平面を持つ略直方体形状の膨出部２１０Ａと、断面が円形形状の長尺な棒状体の長手方向の中央部２１０Ｂを有するコア２１０とを備えて形成されている。より具体的には、図５及び図６に示すように、膨出部２１０Ａの下部に、コア２１０の長手方向の端部２１０Ｅが係合する係合穴２１０Ｆが備えられており、当該係合穴２１０Ｆにコア２１０の長手方向の端部２１０Ｅを係合させることにより膨出部２１０Ａとコア２１０とが連結固定される。また、コア２１０の長手方向の中央部２１０Ｂの軸線Ｘを挟んで、膨出部２１０Ａの文字板５に対向する対向面２１０Ｃ側の平面の面積は、当該対向面２１０Ｃの反対面２１０Ｄ側の平面より広く（大きく）なっている。また、コア２１０の長手方向の中央部２１０Ｂの断面積は、コア２１０の両端部２１０Ｅ，２１０Ｅが有する膨出部２１０Ａ，２１０Ａの断面積より小さくなっている。
なお、膨出部２１０Ａとコア２１０の長手方向の端部２１０Ｅとを連結固定する接着剤は、アモルファス金属同士を接着するものであればどんなものであってもよいが、渦電流損失の防止の観点からは非導電性の接着剤の方が望ましい。
また、コア２１０は、アモルファス金属よりなるので、例えば、フェライトで成形されたコアよりも長手方向の中央部２１０Ｂを細くしても、同等以上の強度を得ることができる。
【００７５】
そして、信号磁界中に、コイル２２０の軸線が磁界方向と平行となるようにアンテナ２００を置くと、図５に示すように、信号磁界Ｍ１は、周囲空間よりも比透磁率が高いコア２１０に集中する。その結果、信号磁束Ｍ１とコイル２２０が鎖交し、コイル２２０には、レンツの法則に従い、コイル２２０の内部での信号磁束Ｍ１の変化を妨げる向きに発生磁束Ｍ２を発生させるような誘導起電力Ｖが生じる。
そして、コイル２２０に生じた誘導起電力Ｖは、コイル２２０に接続された受信回路（図示省略）によって検出される。
【００７６】
ここで、膨出部２１０Ａの下部にコア２１０の長手方向の端部２１０Ｅが連結固定され、コア２１０の長手方向の中央部２１０Ｂの軸線Ｘを挟んで、膨出部２１０Ａの文字板５に対向する対向面２１０Ｃ側の平面の面積は、当該対向面２１０Ｃの反対面２１０Ｄ側の平面より広く（大きく）なっているので、コア２１０の長手方向中央部２１０Ｂの軸線Ｘを挟んで、コア２１０の長手方向の両端部２１０Ｅ，２１０Ｅに有する膨出部２１０Ａ，２１０Ａにおける文字板５の対向面２１０Ｃ側の電波受信面積は、当該対向面２１０Ｃの反対面２１０Ｄ側の電波受信面積より広く（大きく）なっている。したがって、アンテナ２００は、電波を受信した際に、アンテナ２００の軸線Ｘを挟んで、コア２１０の文字板５の対向面２１０Ｃのほうが、当該対向面２１０Ｃの反対面２１０Ｄ側に比べて受信電波量が多くなる形状となっている。
【００７７】
また、アンテナ２００は、当該アンテナ２００の軸線Ｘを挟んで、膨出部２１０Ａの文字板５の対向面２１０Ｃ側のほうが、当該対向面２１０Ｃの反対面２１０Ｄ側に比べて受信電波量が多くなる形状となっているので、膨出部２１０Ａの文字板５の対向面２１０Ｃ側のほうが、当該対向面２１０Ｃの反対面２１０Ｄ側に比べて発生磁束Ｍ２が多くなっている。アンテナ２００の軸線Ｘを挟んで、膨出部２１０Ａの文字板５の対向面２１０Ｃの反対面２１０Ｄ側に発生した発生磁束Ｍ２は裏蓋（図示省略）を通り、当該裏蓋に渦電流を発生させ、信号磁束Ｍ１の渦電流損失を生じさせる。これに対して、アンテナ２００の軸線Ｘを挟んで、膨出部２１０Ａの文字板５の対向面２１０Ｃの反対面２１０Ｄ側の発生磁束Ｍ２は、当該対向面２１０Ｃ側より少なく抑えられているので、裏蓋（図示省略）で発生する渦電流が抑えられており、信号磁束Ｍ１の渦電流損失が抑えられるようになっている。
したがって、変形例１のアンテナ２００およびこのアンテナ２００を組み込んだ腕時計においても、実施形態１のアンテナ１００及び腕時計１と同様の効果を得ることができることは勿論のこと、コア２１０は、容易に成形できる膨出部２１０Ａとコア２１０の端部２１０Ｅとを連結することにより製造できるので、アンテナ２００をより容易に製造できる。また、アンテナ２００は、膨出部２１０Ａとコア２１０とを組み合わせて製造されるので、様々な形状の膨出部と中央部を組み合わせることによって複雑な形状のアンテナであっても比較的容易に製造することができる。
【００７８】
（実施形態２）
本発明の実施形態２に係る腕時計１ａは、図７，８，９に示すように、アンテナ３００の構造のみが実施形態１のアンテナ１００と異なるため、実施形態１の腕時計１と同様の構成については、同一符号を付すとともに、その説明を省略する。
【００７９】
図７は、本発明の実施形態２に係るアンテナ３００を内蔵した腕時計１ａの平面図であり、図８は、図７のＩＩ−ＩＩ矢視断面図である。
また、図９は、実施形態２に係るアンテナ３００を説明するための図である。
図８に示すようにアンテナ３００は、装飾板としての文字板５の下部に配置される。
そして、図９に示すように、実施形態２に係るアンテナ３００は、磁性体であるコア３１０と、コア３１０に巻回されたコイル３２０と、コア３１０の長手方向の両端部３１０Ａ，３１０Ａにコア３１０から外方に突出するように取り付けられた磁性シート３１０Ｃ，３１０Ｃ等を備えて構成される。
【００８０】
コア３１０は、図９に示すように、例えば、断面が円形形状の長尺な棒状体であり、コア３１０の長手方向の端部３１０Ａは、例えば、平面状に形成されており、当該長手方向の端部３１０Ａに、当該コア３１０から外方に突出するように磁性シート３１０Ｃが取り付けられている。また、コア３１０は、アンテナ１００のコア１１０と同様にアモルファス金属を材料としてバルク状に立体成形される。磁性シート３１０Ｃは、アモルファス金属、又は他の磁性材を材料としてシート状、若しくは箔状に形成される。
そして、コア３１０は、アモルファス金属からなるので、例えば、フェライトで形成されたコアよりもコア３１０の長手方向の中央部３１０Ｂを細くしても、同等以上の強度を得ることができる。
また、コア３１０の長手方向の中央部３１０Ｂには、コイル３２０が層状に巻回されている。
【００８１】
そして、信号磁界中に、コイル３２０の長手方向の中央部３１０Ｂの軸線Ｘが磁界方向と平行となるようにコア３１０を置くと、図９に示すように、信号磁束Ｍ１は、周囲空間よりも比透磁率が高いコア３１０に集中する。その結果、信号磁束Ｍ１とコイル３２０が鎖交し、コイル３２０には、レンツの法則に従い、コイル３２０の内部での信号磁束Ｍ１の変化を妨げる向きに発生磁束Ｍ２を発生させるような誘導起電力Ｖが生じる。
そして、コイル３２０に生じた誘導起電力Ｖは、コイル３２０に接続された受信回路（図示省略）によって検出される。
【００８２】
以上説明した、実施形態２に係るアンテナ３００及びこのアンテナ３００を組み込んだ腕時計１ａによれば、コア３１０の長手方向の端部３１０Ａに取り付けられた磁性シート３１０Ｃの平面を電波の受信面とすることができるので、立体的な空間をあまり必要とせずにより広い（大きい）受信面積を確保できることとなり、アンテナ３００の受信感度を向上させることができる。
【００８３】
また、アモルファス金属は、強度が高いので、破れたりせずに磁性シート３１０Ｃを薄くできる。
【００８４】
また、腕時計１ａは、受信感度が向上したアンテナ３００を内蔵するので、電波を感度良く受信できる腕時計１ａを提供することができる。
【００８５】
（実施形態３）
本発明の実施形態３に係る腕時計１ｂは、図１０，１１，１２に示すように、磁性体層としての磁性シート５ｃ，アンテナ４００の構造のみが実施形態１のアンテナ１００と異なるため、実施形態１の腕時計１と同様の構成については、同一符号を付すとともに、その説明を省略する。
【００８６】
図１０は、実施形態３に係るアンテナ４００を内蔵した腕時計１ｂの平面図であり、図１１は、図１０のＸＩ−ＸＩ矢視断面図である。また、図１２は、実施形態３に係る腕時計１ｂにアンテナ４００が内蔵される様子を説明する図である。
【００８７】
アンテナ４００は、図１１に示すように、上部ハウジング部４ａに支持されて、装飾板としての文字板５の下部と下部ハウジング部４ｂの上部との間に配置される。そして、文字板５とアンテナ４００のコア４１０（後述）の長手方向の中央部４１０Ｂの軸線Ｘとが平行となるように配置されている。
また、文字板５の下面、即ち、アンテナ４００側の面には磁性シート５ｃが設けられている。
【００８８】
磁性シート５ｃは、図１０に示すように、文字板５のアンテナ４００側の面のうち、当該アンテナ４００の長手方向の中央部４１０Ｂ（後述）に対向する領域よりも外側の領域に貼り付けられている。
そして、磁性シート５ｃは、例えば、文字板５の外形の円弧よりもわずかに小さい円弧と当該円弧の両端部を結ぶ直線とで囲まれる略扇形状のシートである。磁性シート５ｃを成形する磁性材料としては、アモルファス金属やフェライト等を用いることができるが、シートの破れ防止の点から強度が高い材料の方がよく、アモルファス金属から成形されるのが望ましい。
【００８９】
アンテナ４００は、図１２に示すように、磁性体のコア４１０と、コア４１０に巻回されたコイル４２０等を備えて構成される。
【００９０】
コア４１０は、例えば、コア１１０と同様に、アモルファス金属を材料としてバルク状に成形されており、図１２に示すように、文字板５に略平行な平面を持つ略直方体形状の膨出部４１０Ａと、断面が円形形状の長尺な棒状体の長手方向の中央部４１０Ｂとを備えて形成されている。
また、コア４１０は、アモルファス金属よりなるので、例えば、フェライトで成形されたコアよりも長手方向の中央部４１０Ｂを細くしても、同等以上の強度を得ることができる。
そして、アンテナ４００は、コア４１０の両端部に有する膨出部４１０Ａ，４１０Ａが文字板５に貼り付けられた磁性シート５ｃと接触するように配置され、当該膨出部４１０Ａと磁性シート５ｃとは磁気的に結合するようになっている。
【００９１】
そして、図１２に示すように、上述のようなアンテナ４００は、時計ケース２の内部の裏蓋２ｃの上部側に配置され、当該アンテナ４００の上部側に磁性シート５ｃが設けられた文字板５が配置されるようになっている。
【００９２】
以上説明した、実施形態３に係るアンテナ４００によれば、文字板５の下面、即ち、アンテナ４００側の面に貼り付けられた磁性シート５ｃを電波受信面とし、当該磁性シート５ｃの面から電波を受信することができる。即ち、信号磁界中に、コイル４２０の軸線が磁界方向と平行となるようにアンテナ４００を置くと、信号磁界による磁束（図示省略）は、磁性シート５ｃ、及びコア４１０の端部が有する膨出部４１０Ａを介して当該コア４１０に集められる。その結果、信号磁束（図示省略）とコイル４２０が鎖交し、コイル４２０には、レンツの法則に従い、コイル４２０の内部での信号磁束（図示省略）の変化を妨げる向きに磁束（図示省略）を発生させるような誘導起電力Ｖが生じる。従って、文字板５側からの電波を効率良く受信することができる。
アンテナ４００は、広い面積を有する磁性シート５ｃの面によって電波を受信することができるので、より多くの電波を受信することができることとなり、アンテナ４００の受信感度を向上することができ、電波を感度良く受信できる腕時計１ｂを提供することができる。
【００９３】
また、アモルファス金属は、強度が高いので、破れたりせずに磁性シート５ｃを薄くできる。
【００９４】
また、コア４１０は、アモルファス金属をバルク状に成形することにより製造されるので、従来のアモルファス金属の薄膜を複数枚積層して形成されるコアに比べて、コア４１０の形状を自由な形状に加工しやすくなることとなって、より容易に目的に合った形状のアンテナ４００を製造することができる。また、従来のアモルファス金属のコアのように、薄膜を積層させることがないので、加工工程を減らすことができる。
また、バルク状に成形されたアモルファス金属からなるコア４１０は、透磁率が極めて高いので、アンテナ４００の受信感度を極めて良くすることができる。また、アモルファス金属は、強度が高いので、コア４１０を極めて細く成形することができ、コイル４２０の巻数を増やすことができるので、アンテナ４００の受信感度を向上させることができる。また、アモルファス金属は、さびにくく、温度安定性も良いので、アンテナ４００の寿命をより長期化することができる。
なお、上記実施形態３において、磁性体層は、磁性シート５ｃにより形成するとしたが、例えば、アモルファス金属等の磁性材料を化学的或いは物理的に塗布させることによって形成してもよい。
また、アンテナ４００は、コア４１０の両端部に有する膨出部４１０Ａ，４１０Ａが文字板５に貼り付けられた磁性シート５ｃと接触するように配置されることとしたが、アンテナ４００は、当該膨出部４１０Ａが磁性シート５ｃと磁気的に結合可能な空間を開けて対向するように配置されてもよい。
また、コア４１０の端部が有する膨出部４１０Ａの形状はこれに限られるものではなく、磁性シート５ｃと磁気的に結合できるような形状であれば、どのような形状であってもよい。
【００９５】
なお、本発明の実施形態では、コアは、アモルファス金属から成形されることとしたがフェライト等の磁性材料から成形されてもよい。
また、本実施形態では、電子機器として腕時計型の電波時計に内蔵されて標準電波を受信するアンテナに適用した場合について説明したが、本発明の適用はこれに限定されるものではない。例えば、車載機器用のアンテナ、キーレスエントリシステム、及びＩＣタグ等に適用されても良い。
【図面の簡単な説明】
【００９６】
【図１】本発明の実施形態１に係るアンテナを内蔵した腕時計を示す平面図である。
【図２】図１のＩＩ−ＩＩ断面図である。
【図３】本発明の実施形態１に係るアンテナを説明する図である。
【図４】本発明に係る腕時計の内部構成を示すブロック図である。
【図５】本発明の実施形態１の変形例１に係るアンテナを説明する図である。
【図６】本発明の実施形態１の変形例１に係るアンテナの構成を説明する図である。
【図７】本発明の実施形態２に係るアンテナを内蔵した腕時計を示す平面図である。
【図８】図７のＶＩＩＩ−ＶＩＩＩ断面図である。
【図９】本発明の実施形態２に係るアンテナを説明する図である。
【図１０】本発明の実施形態３に係るアンテナを内蔵した腕時計を示す平面図である。
【図１１】図１０のＸＩ−ＸＩ断面図である。
【図１２】本発明の実施形態３に係るアンテナが腕時計に内蔵される様子を説明する図である。
【符号の説明】
【００９７】
１，１ａ，１ｂ  腕時計（電子機器）
２  時計ケース（ケース）
５  文字板（装飾板）
５ｃ  磁性シート（磁性体層）
６０  通信制御部
６２  電波受信装置
１００，２００，３００，４００  アンテナ
１１０，２１０，３１０，４１０  コア
２１０Ｅ，３１０Ａ  端部
１１０Ａ，２１０Ａ，４１０Ａ  膨出部
１１０Ｂ，２１０Ｂ，３１０Ｂ，４１０Ｂ  中央部
１１０Ｃ，２１０Ｃ  対向面
１１０Ｄ，２１０Ｄ  反対面
３１０Ｃ  磁性シート
１２０，２２０，３２０，４２０  コイル
Ｘ  軸線
【図１】
2006333183.tif 000003
【図２】
2006333183.tif 000004
【図３】
2006333183.tif 000005
【図４】
2006333183.tif 000006
【図５】
2006333183.tif 000007
【図６】
2006333183.tif 000008
【図７】
2006333183.tif 000009
【図８】
2006333183.tif 000010
【図９】
2006333183.tif 000011
【図１０】
2006333183.tif 000012
【図１１】
2006333183.tif 000013
【図１２】
2006333183.tif 000014